(57)【特許請求の範囲】
【請求項１】
画像形成装置本体に排気ファンが設けられ、
前記画像形成装置本体の外装面に排気ダクトが取り付けられ、
該排気ダクト内部に着脱可能な脱臭フィルタが取り付けられ、
前記排気ダクト内部であって前記排気ファンによる排気方向における前記脱臭フィルタと前記排気ファンとの間には複数の整流リブが形成されてなり、
前記整流リブは、前記排気ファンによる排気方向と交差する方向の両側にそれぞれ複数ずつ設けられ、前記排気ファンによる排気方向と交差する方向の他側の整流リブとＶ字形状をなすように配置され、
前記整流リブがなす前記V字形状は、前記排気方向上流側は開いており、前記脱臭フィルタ側となる前記排気方向下流側がすぼまるものであり、
前記排気方向上流側における隣り合う整流リブ同士の間隔は、中心部に配置された最も内側の整流リブの対における間隔が他のリブ同士の間隔より大きい、
ことを特徴とする画像形成装置。
【請求項２】
請求項１に記載の画像形成装置において、
前記Ｖ字形状をなす整流リブの前記排気方向上流側には、前記最も内側の整流リブの対の間に円形の整流リブが形成され、
該円形の整流リブは、前記最も内側の整流リブの対の間には気流を流さない、ことを特徴とする画像形成装置。
【請求項３】
請求項１又は２に記載の画像形成装置において、
前記排気ファンは軸流ファンである、ことを特徴とする画像形成装置。
【請求項４】
請求項１から３のいずれかに記載の画像形成装置において、
前記脱臭フィルタがシール材を介して取り付けられている、ことを特徴とする画像形成装置。
【請求項５】
請求項１から３のいずれかに記載の画像形成装置において、
前記排気ダクトの内部に、防塵フィルタがシール材を介して着脱可能に取り付けられている、ことを特徴とする画像形成装置。
【請求項６】
請求項１から５のいずれかに記載の画像形成装置において、
前記排気ダクトが下向きに設けてある、ことを特徴とする画像形成装置。
【発明の詳細な説明】
【技術分野】
【０００１】
本発明は、複写機、プリンタ、ファクシミリ、又はそれらの機能を複合した複合機である画像形成装置に関する。
【背景技術】
【０００２】
従来の画像形成装置では、臭気防止のために臭気除去フィルタを有した排気ダクトを設けているが、臭気除去フィルタを通過する排気流が臭気除去フィルタに均一に通過しにくく、臭気除去フィルタの性能を有効に利用できないという問題点があった。
【０００３】
また従来の画像形成装置では、臭気除去フィルタの設定のない製品に後付けで臭気除去フィルタを取り付けた場合、製品への固定方法は両面テープでの固定になるため、臭気除去フィルタと防塵フィルタがメンテナンス時期に達した時に、経年変化した両面テープを剥がすという作業が必要になり、メンテナンスの作業工数が掛かってしまうという問題点があった。
【発明の概要】
【発明が解決しようとする課題】
【０００４】
そこで本発明は、臭気除去フィルタを効率的に利用して、排気口からの臭いを押さえることができる画像形成装置を提供することを目的とする。
【０００５】
また本発明は、メンテナンス時期に達した時に、容易にメンテナンスが可能となり、また、密閉度を高め得るようにしたことで、画像形成装置本体内で発生した飛散トナーや粉塵を確実に吸着できる画像形成装置を提供することを目的とする。
【課題を解決するための手段】
【０００６】
本発明の画像形成装置は、画像形成装置本体に排気ファンが設けられ、前記画像形成装置本体の外装面に排気ダクトが取り付けられ、該排気ダクト内部に着脱可能な脱臭フィルタが取り付けられ、前記排気ダクト内部であって前記排気ファンによる排気方向における前記脱臭フィルタと前記排気ファンとの間には複数の整流リブが形成されてなり、前記整流リブは、前記排気ファンによる排気方向と交差する方向の両側にそれぞれ複数ずつ設けられ、前記排気ファンによる排気方向と交差する方向の他側の整流リブとＶ字形状をなすように配置され、前記整流リブがなす前記V字形状は、前記排気方向上流側は開いており、前記脱臭フィルタ側となる前記排気方向下流側がすぼまるものであり、前記排気方向上流側における隣り合う整流リブ同士の間隔は、中心部に配置された最も内側の整流リブの対における間隔が他のリブ同士の間隔より大きい、ことを特徴とする。
【０００７】
請求項２に係るものは、
請求項１に記載の画像形成装置において、前記Ｖ字形状をなす整流リブの前記排気方向上流側には、前記最も内側の整流リブの対の間に円形の整流リブが形成され、該円形の整流リブは、前記最も内側の整流リブの対の間には気流を流さない、ことを特徴とする。
【０００８】
請求項３に係るものは、請求項１又は２に記載の画像形成装置において、前記排気ファンは軸流ファンである、ことを特徴とする。
【０００９】
請求項４に係るものは、前記脱臭フィルタがシール材を介して取り付けられている、ことを特徴とする。
【００１０】
請求項５に係るものは、請求項１から３のいずれかに記載の画像形成装置において、前記排気ダクトの内部に、防塵フィルタがシール材を介して着脱可能に取り付けられている、ことを特徴とする。
【００１１】
請求項６に係るものは、請求項１から５のいずれかに記載の画像形成装置において、前記排気ダクトが下向きに設けてある、ことを特徴とする。
【発明の効果】
【００１２】
本発明によれば、臭気防止のための臭気除去フィルタを有した排気ダクト内部に、臭気除去フィルタを通過する排気流が臭気除去フィルタに均一に通過するための整流板を設けて、臭気除去フィルタの性能を効率的に利用して、排気口からの臭いを押さえることができる。
【００１３】
また本発明によれば、着脱可能な防塵フィルタをシール材を介して取り付けるため、防塵フィルタがメンテナンス時期に達した時に、容易にメンテナンスが可能となり、また、シール材により密閉度が高められているため、防塵フィルタで画像形成装置本体内で発生した飛散トナーや粉塵が確実に吸着できる。
【図面の簡単な説明】
【００１４】
【図１】本発明の実施例１に係る画像形成装置の排気ダクトの位置を示す断面図（Ａ）、本発明の実施の形態に係る同断面図（Ｂ）、そして正面図（Ｃ）
【図２】本発明の実施例２に係る正面図
【図３】本発明の実施例３に係る正面図
【発明を実施するための形態】
【００１５】
本発明では、従来の画像形成装置では解決できなかった、臭気防止に係る問題を解決するものである。臭気除去フィルタを有した排気ダクトを設けても、臭気除去フィルタを通過する排気流が臭気除去フィルタに均一に通過しにくいため、臭気除去フィルタの性能を有効に利用できなかったが、臭気除去フィルタに流れる気流が均一になるように、臭気除去フィルタへの気流の流れの上流側で排気ダクトの内部に整流リブを形成し、上述の問題を解決している。
【００１６】
また本発明は、臭気除去フィルタをダクト内部に着脱可能な構成にすることにより、すなわち臭気除去フィルタをシール材を介して取り付け、臭気除去フィルタが寿命に達した時に、容易にメンテナンスができるようにするものであり、加えて、シール材により密閉度を高め、臭気除去フィルタで画像形成装置本体内で発生したトナーやオゾン等の臭気成分を確実に除去できるようにして、上述の問題を解決している。
【００１７】
また、従来の画像形成装置では解決できていなかった、臭気除去フィルタの設定のない製品に後付けで臭気除去フィルタを取り付ける場合の両面テープ使用に起因する問題について、排気ダクト外形部の取り付け代に両面テープに代えてマジックテープ（登録商標）を設けておき、臭気除去フィルタと防塵フィルタがメンテナンス時期に達した時に、マジックテープ（登録商標）の着脱により容易にメンテナンスができるようにして、上述の問題を解決している。
【００１８】
さらに、排気ダクトを画像形成装置本体に固定するための口形状板部材を設け、この一方の面に粘着部材を設け、他方の面にはシール材とマジックテープ（登録商標）を設け、臭気除去フィルタの設定のない製品に後付けで臭気除去フィルタを取り付ける場合、口形状板部材の一方の面に設けた粘着部材により口形状板部材を製品排気口の周囲に貼り付けることで、製品側の臭気除去フィルタの着脱可能な固定構造が容易に作ることができるようにして、上述の問題を解決している。
【実施例】
【００１９】
以下、本発明を適用した画像形成装置について説明を行う。
＜実施例１＞
図１は本発明の実施例１に係る画像形成装置の排気ダクトの位置を示す断面図（Ａ）、本発明の実施の形態に係る同断面図（Ｂ）、そして正面図（Ｃ）である。本実施例の画像形成装置の排気ダクト３は、画像形成装置本体１の背面２にあって、下方向に向けて取り付けられている。そして排気ダクト３の排気口５は、水平方向の断面で形成してある。排気口５内の排気の流れの上流側には、防塵フィルタ６、脱臭フィルタ８が設けられている。
【００２０】
また、脱臭フィルタ８に流れる気流が均一になるように、脱臭フィルタ８の上流側には排気ダクト３の内部にV字形状に配置された整流リブ１０が形成されている。
【００２１】
次に本実施例の機能、動作について説明する。排気ファン４は軸流ファンで、軸流ファンから排気された気流は、軸流ファンの中心部では気流の流れが弱い特性があるが、排気ダクト３内部にV字形状に配置された整流リブ１０よって脱臭フィルタ８へ均一に分流され、脱臭フィルタ８の吸着面が均一に有効利用される。この時、画像形成装置本体１内で発生したトナーやオゾン等の臭気成分は脱臭フィルタ８に吸着され、排気口５に達するまでの臭気成分が減少する。さらに、排気ダクト３の排気口５を下方向の排気としているため、下向きの排気方向の効果とあいまって臭気が押さえられる。
【００２２】
なお本実施例では、着脱可能な脱臭フィルタ８がシール材９を介して取り付けられている。そのため、臭気除去フィルタ８が寿命に達した時に容易にメンテナンスが可能となる。また、シール材９により密閉度が高められているため、脱臭フィルタ８に画像形成装置本体１内で発生したトナーやオゾン等の臭気成分が確実に吸着される。
【００２３】
さらに本実施例では、着脱可能な防塵フィルタ６がシール材７を介して取り付けられているため、防塵フィルタ６がメンテナンス時期に達した時に容易にメンテナンスが可能となる。また、シール材９により密閉度が高められているため、防塵フィルタ６に画像形成装置本体１内で発生した飛散トナーや粉塵が確実に吸着される。
【００２４】
＜実施例２＞
図２は本発明の実施例２に係る正面図である。実施例１に対して、脱臭フィルタ８に流れる気流が均一になるように、脱臭フィルタ８の上流側に、排気ダクト３の上部コーナー部に角度約４５°の整流リブ１２、中心部に円形の整流リブ１１、下部にはV字形状に配置されたた整流リブ１０が形成されている。
【００２５】
本実施例の機能、動作について説明する。排気ファン４から排気された気流（やはり軸流ファンなので、その中心部は気流の流れが弱い特性がある）、排気ダクト３内部にV字形状に配置された整流リブ１０よって脱臭フィルタ８へ均一に分流され、脱臭フィルタ８の吸着面が均一に有効利用される。また、排気効率を向上させるため、気流の流れが弱い中心部には気流を流さないための円形の整流リブ１１によって排気効率が高まる。さらに、排気ダクト３内部のコーナー部に渦が発生するのを防止するための整流リブ１２によってさらに排気効率が高まる。
【００２６】
＜実施例３＞
図３は本発明の実施例３に係る正面図である。図５は、排気ダクト３を画像形成装置本体１に固定するための口形状の板部材１４である。この板部材１４の一方の面に粘着部材（図示を省略する）が形成され、もう一方の面にはシール材１６とマジックテープ（登録商標）１５が形成されている。
【００２７】
本実施例の板部材１４の機能、動作について説明すると、臭気除去フィルタの設定のない製品に後付けで臭気除去フィルタを取り付ける場合、口形状板部材１４の一方の面に形成された粘着部材により口形状板部材１４を製品排気口の周囲に貼り付けることで、製品側の臭気除去フィルタの着脱可能な固定構造が容易に作ることができる。
【符号の説明】
【００２８】
１：画像形成装置本体
２：画像形成装置本体の背面
３：排気ダクト
４：排気ファン
５：排気ダクトの排気口
６：防塵フィルタ
７、９：シール材
８：脱臭フィルタ
１０、１１、１２：整流リブ
１４：板部材
１５：マジックテープ（登録商標）
１６：シール材
【先行技術文献】
【特許文献】
【００２９】
【特許文献１】特開2005-321551号公報
【特許文献２】特開平11-249510号公報
【図１】
0005471557.tif 000002
【図２】
0005471557.tif 000003
【図３】
0005471557.tif 000004